(57)【要約】【課題】ダイヤルインサービスに対応した通信端末装置に関して、正確に局線回線の極性が確定され、誤動作を防止することができる通信端末装置を実現する。【解決手段】通信端末装置は、プッシュボタン信号方式のダイヤルイン接続機能を備えた通信端末装置であって、局線の極性を判定する極性判定機能と、極性判定機能が局線の極性の反転を検出した後、呼出信号を受信したことに応答して一時応答信号を回線上に送出する一時応答信号送出機能（Ｓ４０６）と、一時応答信号送出機能による一時応答信号の送出後に、交換機から内線指定信号を受信したことを検出するための内線指定信号検出機能（Ｓ４０８）と、内線指定信号検出機能で内線指定信号の受信を検出したことに応答して、極性判定機能により、局線の極性を確定する極性確定機能（Ｓ４１０）とを含む。【選択図】        図３
2010118724.tif 000002
【特許請求の範囲】
【請求項１】
プッシュボタン信号方式のダイヤルイン接続機能を備えた通信端末装置であって、
局線の極性を判定するための極性判定手段と、
前記極性判定手段が局線の極性の反転を検出した後、呼出信号を受信したことに応答して、一時応答信号を回線上に送出するための一時応答信号送出手段と、
前記一時応答信号送出手段による一時応答信号の送出後に、交換機から内線指定信号を受信したことを検出するための内線指定信号検出手段と、
前記内線指定信号検出手段で前記内線指定信号の受信を検出したことに応答して、前記極性判定手段により、前記局線の極性を確定するための極性確定手段とを含む、通信端末装置。
【請求項２】
前記内線指定信号検出手段は、前記内線指定信号の１桁目の信号の受信を検出するための手段を含み、
前記極性確定手段は、前記検出するための手段で前記１桁目の信号の受信を検出したことに応答して、前記極性判定手段により、前記局線の極性を確定するための手段を含む、請求項１に記載の通信端末装置。
【発明の詳細な説明】
【技術分野】
【０００１】
本発明は、電話回線網に接続された通信端末装置に関し、特に、ダイヤルイン接続機能に対応した通信端末装置に関する。
【背景技術】
【０００２】
企業などでは、構内交換機（ＰＢＸ：Ｐｒｉｖａｔｅ  Ｂｒａｎｃｈ  ｅＸｃｈａｎｇｅ）などを設置して、ダイヤルインサービスを利用している。ダイヤルインサービスとは、電話回線網を通して企業の構内交換機などへ内線交換に必要な番号情報を送り、直接内線に接続できるようにするサービスのことである。このサービスにより、構内交換機につながる個々の電話機に固有の番号を付与することができ、端末の内線を局線中継台を経ずに直接呼出すことができる。
【０００３】
また、上記のダイヤルイン接続機能を備え、着呼応答手順時に予め登録されているダイヤルイン番号を検出すると、電話機に対して呼出音を送出するファクシミリ装置が実用されている。このファクシミリ装置では、ファクシミリ装置に複数の電話機を接続して、ファクシミリ装置自身と電話機の各々とに異なる電話番号が割当てられるようになっている。
【０００４】
図４に、加入者線交換機及びダイヤルイン対応端末間におけるプッシュボタン信号方式のダイヤルインの接続動作シーケンスを表す図を示す。なお、図中の（Ｓ１）〜（Ｓ７）は、各動作に対して割当てた番号である。
【０００５】
図４を参照して、加入者線交換機は、ダイヤルイン加入者の呼出を行なう場合、まず、局線Ｌ１、Ｌ２の極性を反転し、０．１秒以内に呼出信号をダイヤルイン対応端末に送出する。加入者線交換機は、局線Ｌ１、Ｌ２の極性反転から６秒以内にダイヤルイン対応端末から一次応答信号（直流ループ形成）を受信すると、約０．６秒後に内線指定信号（プッシュボタン信号であらかじめ設定された１〜４桁の番号）を送信する。また、６秒以内に一次応答信号が到着しない場合、加入者線交換機は切断動作に入る。
【０００６】
加入者線交換機は内線指定信号の送出完了後、約０．３秒から２秒の間に内線指定受信完了信号（直流ループ断）を受信する。この間に信号が未到着の場合加入者線交換機は切断動作に入る。内線指定受信完了信号を受信後、約０．３秒以降に加入者線交換機は二次応答信号待ち状態に入る。
【０００７】
加入者線交換機は、二次応答信号（直流ループ形成）を受信すると、局線Ｌ１、Ｌ２の極性を復極して通信パスを形成する。
【０００８】
特許文献１では、ダイヤルイン接続機能を備えたファクシミリ装置において、発呼側からの接続を電話と判断し、ユーザを呼出している最中（直流ループ断、加入者線交換機は二次応答信号待ち状態）に発呼側が電話をオンフックした場合、そのオンフック動作を検出して無駄な呼出動作を防ぐことができる技術が開示されている。
【０００９】
また最近では、通信前情報通知サービスの一つとして、モデムダイヤルインサービスが運用されている。このサービスでは、呼出信号を受信する前にダイヤルイン番号を検出することができる。そして、呼出信号を受けたときには直接指定された電話機などを呼出すことが可能となっている。
【００１０】
特許文献２では、モデムダイヤルインサービスを利用して、回線を接続する前にダイヤルイン番号に応じた処理を実行させるようにして、発信元に通信料金を負担させることなしに所望する処理を実行することができる技術が開示されている。
【特許文献１】特開平８−２０４９４２号
【特許文献２】特開平１１−３０８３６３号
【発明の開示】
【発明が解決しようとする課題】
【００１１】
図４を参照し、従来のダイヤルインサービスの動作シーケンスにおいてダイヤルイン対応端末は、加入者線交換機から局線Ｌ１、Ｌ２の極性が反転され（Ｓ１）、続いて送信される呼出信号を受信する（Ｓ２）。それに応答して一次応答信号を発信（直流ループ形成）後（Ｓ３）、一定時間（ｔａ）経過後に局線の極性を検出し確定処理を行なっている。しかし、直流ループの形成直後は局線Ｌ１、Ｌ２の回線電圧が安定しない期間が生じるため、ダイヤルイン対応端末は、局線Ｌ１、Ｌ２を仕様とは異なる極性で確定することがあった。局線極性が正確に確定されないことによって、二次応答後の通信中に相手機が回線を切断したという誤認識をし、自機の回線を切断してしまうなどの誤動作が生じるという問題点があった。
【００１２】
特許文献１、２の技術は、正しくダイヤルインの接続動作シーケンスが行なわれることが前提の技術であるため、上記問題点を解決することはできない。
【００１３】
そのため、本発明の目的は、ダイヤルインサービスに対応した通信端末装置に関して、正確に局線の極性が確定され、誤動作を防止することができる通信端末装置を実現することである。
【課題を解決するための手段】
【００１４】
本発明の第１の局面に係る通信端末装置は、プッシュボタン信号方式のダイヤルイン接続機能を備えた通信端末装置であって、局線の極性を判定するための極性判定手段と、極性判定手段が局線の極性の反転を検出した後、呼出信号を受信したことに応答して、一時応答信号を回線上に送出するための一時応答信号送出手段と、一時応答信号送出手段による一時応答信号の送出後に、交換機から内線指定信号を受信したことを検出するための内線指定信号検出手段と、内線指定信号検出手段で内線指定信号の受信を検出したことに応答して、極性判定手段により、局線の極性を確定するための極性確定手段とを含む。
【００１５】
極性判定手段は、局線Ｌ１、Ｌ２の極性を判定する。一時応答信号送出手段は、極性判定手段が局線の極性の反転を検出した後、呼出信号を受信したことに応答して、一時応答信号を回線上に送出する。内線指定信号検出手段は、一時応答信号送出手段による一時応答信号の送出後に、交換機から内線指定信号を受信したことを検出する。極性確定手段は、内線指定信号検出手段で内線指定信号の受信を検出したことに応答して、極性判定手段により判定された局線Ｌ１、Ｌ２の極性を確定する。
【００１６】
この通信端末装置は、プッシュボタン信号方式のダイヤルイン接続において、交換機から送信される内線指定信号の受信を検出した時に局線Ｌ１、Ｌ２の極性を確定している。内線指定信号は、交換機との直流ループが形成されてから一定時間経過後に送信されるため、局線Ｌ１、Ｌ２の回線電圧が安定した状態で局線の極性確定を行なうことができる。その結果、ダイヤルインサービスに対応した通信端末装置に関して、正確に局線の極性が確定され、誤動作を防止することができる通信端末装置を実現することができる。
【００１７】
好ましくは、内線指定信号検出手段は、内線指定信号の１桁目の信号の受信を検出するための手段を含む。極性確定手段は、検出するための手段で１桁目の信号の受信を検出したことに応答して、極性判定手段により、局線の極性を確定するための手段を含む。
【００１８】
プッシュボタン方式によるダイヤルインサービスにおいて、内線指定信号は１桁から４桁までの内で、何桁の番号を使用するか利用者によって予め設定される。通信端末装置が、内線指定信号の１桁目を受信した時に局線Ｌ１、Ｌ２の極性状態を確定することで、受信する内線指定信号の桁数を考慮することなく局線の極性を確定することができる。
【発明の効果】
【００１９】
以上のように、この通信端末装置によれば、局線Ｌ１、Ｌ２の回線電圧が安定した状態で局線の極性を確定することができる。これにより、局線の極性を正しく認識することができ誤動作を防ぐことができる。その結果、ダイヤルインサービスに対応した通信端末装置に関して、正確に局線の極性が確定され、誤動作を防止することができる通信端末装置を実現することができる。
【発明を実施するための最良の形態】
【００２０】
以下の説明及び図面においては、同一部品には同じ参照符号および名称を付してある。それらの機能も同様である。したがって、それらについての詳細な説明は繰返さない。
【００２１】
―構成―
図１は、本実施の形態に係るダイヤルイン接続機能を備えたファクシミリ装置３０を含む、データ通信システム２０の構成を表す図である。図１を参照し、ファクシミリ装置３０は、加入者線交換機３２と、ファクシミリ装置３０とダイヤルイン接続している電話機３４、３６とに接続される。加入者線交換機３２は電話回線網３８に接続される。電話回線網３８にはさらに、不特定多数の相手先の電話機４０が接続される。
【００２２】
図２は、本実施の形態に係るファクシミリ装置３０の構成を表すブロック図である。図２を参照して、ファクシミリ装置３０は、ＣＰＵ（Ｃｅｎｔｒａｌ  Ｐｒｏｃｅｓｓｉｎｇ  Ｕｎｉｔ）で構成されファクシミリ装置３０の全体の制御を行なうための制御部５０と、制御部５０に接続されたバス７２と、いずれもバス７２に接続された、不揮発性のメモリなどからなる制御プログラムを記憶するための制御用メモリ５２、ファクシミリ装置３０に接続される電話機３４、３６を呼出すための内線番号の登録情報など、ファクシミリ装置３０に固有な各種の情報を記録するためのパラメータメモリ５４、原稿画像を読取るための画像読取部５６、記録紙に画像データを出力するための画像出力部５８、操作者からの入力指示を受付けるための操作パネル６８、読取った画像データを符号化し、受信した符号化データを元の画像データに復号化するための符号化復号化部６６、符号化された状態の画像データ、及び画像読取部５６で読取ったデータを記憶するための画像蓄積部６４を含む。
【００２３】
ファクシミリ装置３０はさらに、電話回線網と接続され回線の制御を行なうための網制御部６０と、電話回線網と接続しファクシミリ通信を行なうためのファクシミリモデム６２と、網制御部６０を介して接続される電話回線の極性状態を判定するための極性状態検出部７０とを含む。
【００２４】
制御用メモリ５２と、パラメータメモリ５４と、画像読取部５６と、画像出力部５８と、操作パネル６８と、符号化復号化部６６と、画像蓄積部６４と、網制御部６０と、ファクシミリモデム６２と、極性状態検出部７０とは、バス７２を介して接続されており、全体の制御は制御部５０によって行なわれる。
【００２５】
加入者線交換機３２とファクシミリ装置３０とは、１対の局線（Ｌ１、Ｌ２）からなる電話回線で網制御部６０を介して接続される。極性状態検出部７０は、局線Ｌ１、Ｌ２の極性状態を判定する。
【００２６】
図３は、ファクシミリ装置３０の制御部５０で実行され、加入者線交換機３２からダイヤルインの呼出信号を受信し、ダイヤルイン機能で指定された電話機３４との通信状態を確立するまでのプログラムの制御構造をフローチャート形式で表す図である。このプログラムは、加入者線交換機３２から電話回線の極性反転を検出した時に実行される。
【００２７】
図３を参照して、このプログラムは、加入者線交換機３２から局線Ｌ１、Ｌ２の極性反転を検出するステップＳ４０２（図４のＳ１）と、ステップＳ４０２に続き、加入者線交換機３２からの呼出信号を受信するステップＳ４０４（図４のＳ２）と、ステップＳ４０４に続き、加入者線交換機３２に一次応答信号を送信し直流ループを形成するステップＳ４０６（図４のＳ３）と、ステップＳ４０６に続き、加入者線交換機３２から送信される内線指定信号（１桁〜４桁）の１桁目を受信するステップＳ４０８と、ステップＳ４０８に続き、極性状態検出部７０で局線Ｌ１、Ｌ２の極性状態を読出し、局線Ｌ１、Ｌ２の極性を確定するステップＳ４１０と、ステップＳ４１０に続き、加入者線交換機３２から送信される内線指定信号を全桁受信したか否かを判定し、判定結果に応じて制御の流れを分岐させるステップＳ４１２と、ステップＳ４１２で内線指定信号を全桁受信していないと判定された場合（ＮＯの場合）に実行され、内線指定信号の残りの桁を受信するステップＳ４１４（図４のＳ４）とを含む。ステップＳ４１４実行後、制御はステップＳ４１２に進む。
【００２８】
加入者線交換機３２から送信される内線指定信号は、内線の回線数などに応じて１桁から４桁の任意の桁数を選択する。この桁数は利用者の要望に応じてあらかじめ設定される。
【００２９】
このプログラムはさらに、ステップＳ４１２で、内線指定信号を全桁受信したと判定された場合（ＹＥＳの場合）に実行され、加入者線交換機３２に内線指定受信完了信号を送信し直流ループを切断するステップＳ４１６（図４のＳ５）と、ステップＳ４１６に続き、内線指定信号で指定された番号を持つ電話機３４に呼出信号を発信するステップＳ４１８と、ステップＳ４１８に続き、呼出信号を発信した電話機３４から応答があったか否かを判定し、判定結果に応じて制御の流れを分岐させるステップＳ４２０と、ステップＳ４２０で応答があったと判定された場合（ＹＥＳの場合）に実行され、加入者線交換機３２に二次応答信号を送信し直流ループを形成するステップＳ４２２（図４のＳ６）と、ステップＳ４２２に続き、電話機３４と加入者線交換機３２との通信状態が確立され、加入者線交換機３２から局線Ｌ１、Ｌ２の極性の復極を検出するステップＳ４２４（図４のＳ７）とを含む。ステップＳ４２０で応答がないと判定された場合（ＮＯの場合）、制御はステップＳ４２０に戻り、応答があるまで待つ。
【００３０】
―動作―
本実施の形態に係るダイヤルイン接続機能を備えたファクシミリ装置３０は、ファクシミリ装置３０に接続された契約回線にプッシュボタン方式によるダイヤルインサービスの着信があった時、該回線の通信状態を形成する際に以下のように動作する。
【００３１】
ファクシミリ装置３０は、局線Ｌ１、Ｌ２の極性が反転され、呼出信号を受信すると（ステップＳ４０２、４０４）、加入者線交換機３２に一次応答信号を送信し直流ループを形成する（ステップＳ４０６）。加入者線交換機３２は、ファクシミリ装置３０からの一次応答信号を受信したことに応答して信号受信から約０．６秒後に内線指定信号を発信する。ファクシミリ装置３０は、発信された内線指定信号の１桁目を受信したときの局線回線Ｌ１、Ｌ２の極性状態を読出して回線の極性を確定する（ステップＳ４０８、４１０）。
【００３２】
その後、ファクシミリ装置３０は、送信された内線指定信号を全桁受信し（ステップＳ４１２、４１４）、加入者線交換機３２に内線指定受信完了信号を送信し直流ループを切断する（ステップＳ４１６）。その後、ファクシミリ装置３０は、内線指定信号先に呼出信号を発信し、呼出信号に対して応答があったら、加入者線交換機３２に二次応答信号を送信し、直流ループを形成する（ステップＳ４１８、４２０、４２２）。その後、局線Ｌ１、Ｌ２、の極性が復極し、回線の通信状態が形成される（ステップＳ４２４）。
【００３３】
以上のように、ファクシミリ装置３０が、加入者線交換機３２から送信される内線指定信号の１桁目を受信した時に局線Ｌ１、Ｌ２の極性状態を検出するようにすると、一時応答送信から内線指定信号を受信するまでに一定時間かかるため、直流ループ形成直後に起こる回線電圧の変動の影響の少ない、安定した状態で局線の極性を検出することができる。そのため、ファクシミリ装置３０は、仕様通りの極性で回線極性を確定することができる。その結果、ダイヤルインサービスに対応した通信端末装置に関して、正確に局線の極性が確定され、誤動作を防止することができる通信端末装置を実現することができる。
【００３４】
プッシュボタン方式によるダイヤルインサービスにおいては、内線指定信号として１桁から４桁までの内で、何桁の番号を使用するか利用者によって予め設定される。そのため、何桁の内線指定信号が設定されているかは利用者によって異なる。通信端末装置が、内線指定信号の１桁目を受信した時に局線Ｌ１、Ｌ２の極性状態を確定することで、受信する内線指定信号の桁数を考慮することなく局線の極性を確定することができる。
【００３５】
また、内線指定信号の１桁目を受信した時に回線の極性判定及び確定を行なうと決めることで、従来技術で必要とされていた一次応答信号を送信してから所定の時間（ｔａ）を計時するためのタイマーが必要なくなり、装置の構成を簡単にすることができる。
【００３６】
本実施の形態では、ダイヤルイン接続機能を備えたファクシミリ装置３０について述べたが、ダイヤルイン接続機能を備えた装置であれば、ＰＢＸなどの、ファクシミリ装置以外の装置にも適用することが可能である。
【００３７】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００３８】
【図１】本実施の形態に係るダイヤルイン接続機能を備えたファクシミリ装置３０を含む、データ通信システム２０の構成を表す図である。
【図２】ファクシミリ装置３０の構成を表すブロック図である。
【図３】ファクシミリ装置３０の制御部５０で実行され、加入者線交換機３２からダイヤルインの呼出信号を受信し、指定された電話機３４との通信状態の確立までのプログラムの制御構造をフローチャート形式で表す図である。
【図４】加入者線交換機及びダイヤルイン対応端末間におけるプッシュボタン信号方式のダイヤルインの接続動作シーケンスを表す図を示す。
【符号の説明】
【００３９】
３０  ファクシミリ装置
３２  加入者線交換機
３４、３６  電話機
５０  制御部
６０  網制御部
７０  極性状態検出部
【図１】
2010118724.tif 000003
【図２】
2010118724.tif 000004
【図３】
2010118724.tif 000005
【図４】
2010118724.tif 000006